Podtech/llm-jp-corpus-v4-ja_patent huggingface dataset:
【手続補正書】
【提出日】平成27年9月30日(2015.9.30)
【手続補正１】
【補正対象書類名】特許請求の範囲
【補正対象項目名】全文
【補正方法】変更
【補正の内容】
【特許請求の範囲】
【請求項１】
複数種類の図柄が表示され、横方向に並列に設けられた３個のリールと、
前記リールごとに設けられ、対応する前記リールを停止させるときに遊技者が操作するストップスイッチと、
遊技の進行を制御するメイン制御手段と、
前記メイン制御手段から情報が送信され、演出の出力を制御するサブ制御手段とを備え、
前記メイン制御手段は、リプレイの当選及び特定小役の当選を有するように役の抽選を行う役抽選手段を備え、
遊技状態として、前記リプレイの当選確率が異なる複数の遊技状態を有し、
前記役抽選手段は、前記複数の遊技状態のうちの所定の遊技状態において、前記前記リプレイの当選として、前記ストップスイッチの押し順に応じて特定の図柄の組合せを表示可能なリプレイ第１当選と、前記ストップスイッチの押し順によらずに前記特定の図柄の組合せを表示しないリプレイ第２当選とを有するように役の抽選を行い、
前記サブ制御手段は、
前記リプレイの当選時及び前記特定小役の当選時に、前記ストップスイッチの操作情報を報知可能にする報知遊技を有し、
前記報知遊技を実行する条件を満たしたときは、その終了条件を満たすまで前記報知遊技を実行し、
前記メイン制御手段は、前記リプレイ第２当選時に、前記ストップスイッチの押し順のうち、左側の前記リールに対応する前記ストップスイッチと異なる所定のストップスイッチが最初に操作される変則押し順の中から一つの押し順が定まるようにし、定まった前記一つの押し順の情報を前記サブ制御手段が判別できるようにコマンドを送信し、
前記サブ制御手段は、前記コマンドを受信した遊技において、前記一つの押し順を報知する条件を満たすときは、前記一つの押し順を報知し、
前記メイン制御手段は、特定の状況下において、前記リプレイ第２当選時に定まった前記一つの押し順で前記ストップスイッチが操作されたときは、前記報知遊技の実行に関する情報を外部に出力するように制御する
ことを特徴とするスロットマシン。
【手続補正２】
【補正対象書類名】明細書
【補正対象項目名】０００１
【補正方法】変更
【補正の内容】
【０００１】
本発明は、当選役及びストップスイッチの押し順に基づいて、報知遊技の実行に関する情報を外部に出力するように制御するスロットマシンに関するものである。
【手続補正３】
【補正対象書類名】明細書
【補正対象項目名】０００２
【補正方法】変更
【補正の内容】
【０００２】
従来のスロットマシンにおいて、メイン制御手段とサブ制御手段とを有し、メイン制御手段からサブ制御手段に情報を送信するとともに、サブ制御手段側で報知遊技（ＡＴ）を実行するスロットマシンが知られている（例えば、特許文献１参照）。
【手続補正４】
【補正対象書類名】明細書
【補正対象項目名】０００３
【補正方法】変更
【補正の内容】
【０００３】
【特許文献１】特開２０１０−１８３９５４号公報
【手続補正５】
【補正対象書類名】明細書
【補正対象項目名】０００４
【補正方法】変更
【補正の内容】
【０００４】
前述の従来の技術において、メイン制御手段は、サブ制御手段側で報知遊技を実行しているか否かを知ることができなかった。
【手続補正６】
【補正対象書類名】明細書
【補正対象項目名】０００５
【補正方法】変更
【補正の内容】
【０００５】
本発明が解決しようとする課題は、報知遊技の実行時に、メイン制御手段がその旨の情報を外部に出力するように制御することである。
【手続補正７】
【補正対象書類名】明細書
【補正対象項目名】０００６
【補正方法】変更
【補正の内容】
【０００６】
本発明は、以下の解決手段によって、上述の課題を解決する。なお、かっこ書きにて、対応する実施形態を示す。
請求項１の発明（＜第９実施形態＞の（第１例）に相当）は、
複数種類の図柄が表示され、横方向に並列に設けられた３個のリール（３１）と、
前記リールごとに設けられ、対応する前記リールを停止させるときに遊技者が操作するストップスイッチ（４２）と、
遊技の進行を制御するメイン制御手段（６０）と、
前記メイン制御手段から情報が送信され、演出の出力を制御するサブ制御手段（７０）とを備え、
前記メイン制御手段は、リプレイの当選（リプレイＡを含む当選）及び特定小役の当選（小役３Ａの重複当選）を有するように役の抽選を行う役抽選手段を備え、
遊技状態として、前記リプレイの当選確率が異なる複数の遊技状態（非ＲＴ、ＲＴ１〜ＲＴ７）を有し、
前記役抽選手段は、前記複数の遊技状態のうちの所定の遊技状態（非ＲＴ又はＲＴ２）において、前記前記リプレイの当選として、前記ストップスイッチの押し順に応じて特定の図柄の組合せ（リプレイＢの図柄の組合せ）を表示可能なリプレイ第１当選（リプレイ重複Ａ群）と、前記ストップスイッチの押し順によらずに前記特定の図柄の組合せを表示しないリプレイ第２当選（リプレイＡの単独当選）とを有するように役の抽選を行い、
前記サブ制御手段は、
前記リプレイの当選時及び前記特定小役の当選時に、前記ストップスイッチの操作情報を報知可能にする報知遊技（Ｅｘ．チャンス）を有し、
前記報知遊技を実行する条件を満たしたときは、その終了条件を満たすまで前記報知遊技を実行し、
前記メイン制御手段は、前記リプレイ第２当選時に、前記ストップスイッチの押し順のうち、左側の前記リールに対応する前記ストップスイッチ（左ストップスイッチ４２）と異なる所定のストップスイッチ（中又は右ストップスイッチ４２）が最初に操作される変則押し順の中から一つの押し順が定まるようにし、定まった前記一つの押し順の情報を前記サブ制御手段が判別できるようにコマンドを送信し、
前記サブ制御手段は、前記コマンドを受信した遊技において、前記一つの押し順を報知する条件を満たすとき（Ｅｘ．チャンスの開始時）は、前記一つの押し順を報知し、
前記メイン制御手段は、特定の状況下（Ｅｘ．チャンスを開始するときの非ＲＴ遊技又はＲＴ２遊技）において、前記リプレイ第２当選時に定まった前記一つの押し順で前記ストップスイッチが操作されたときは、前記報知遊技の実行に関する情報を外部に出力するように制御する
ことを特徴とする。
【手続補正８】
【補正対象書類名】明細書
【補正対象項目名】０００７
【補正方法】変更
【補正の内容】
【０００７】
本発明によれば、メイン制御手段で、特定の状況下においてリプレイ第２当選時に定まった押し順でストップスイッチが操作されたか否かを判断することにより、報知遊技の実行に関する情報を外部に出力するように制御することができる。また、遊技者に変則押しをさせても一定の図柄の組合せを表示することができる。
【手続補正書】
【提出日】平成27年9月15日(2015.9.15)
【手続補正１】
【補正対象書類名】特許請求の範囲
【補正対象項目名】全文
【補正方法】変更
【補正の内容】
【特許請求の範囲】
【請求項１】
遊技が可能な遊技機であって、
第１制御手段と、
第２制御手段とを備え、
前記第１制御手段は、前記第２制御手段にコマンドを送信するコマンド送信手段を含み、
前記第２制御手段は、
前記第１制御手段から受信したコマンドを格納するための複数のコマンド格納エリアと、
前記コマンド格納エリアに、コマンドが格納されているか否かを確認可能な情報が設定されるコマンド有無確認エリアと、
コマンドの受信に際してエラーが生じているか否かを示す情報が設定されるコマンドエラー確認エリアと、
前記コマンド格納エリアからコマンドを読み出す読出手段とを含み、
前記コマンドエラー確認エリアの情報は、前記コマンド有無確認エリアから情報が読み出されるとクリアされるように構成され、
前記読出手段が前記コマンド格納エリアからコマンドを読み出す前に、前記コマンドエラー確認エリアの情報を読み出して保存するエラー情報保存手段と、
前記読出手段が前記コマンド格納エリアからコマンドを読み出す際に、保存されている前記コマンドエラー確認エリアの情報にもとづいてコマンドにエラーが生じているか否か判定する判定手段とをさらに含み、
前記コマンド送信手段は、コマンドを送信するための処理を、第１の周期により繰り返し実行し、
前記読出手段は、前記コマンド格納エリアからコマンドを読み出すための処理を、前記第１の周期とは異なる第２の周期により繰り返し実行する
ことを特徴とする遊技機。
【手続補正２】
【補正対象書類名】明細書
【補正対象項目名】００１１
【補正方法】変更
【補正の内容】
【００１１】
（１）本発明による遊技機は、遊技が可能な遊技機であって、第１制御手段（例えば、遊技制御用マイクロコンピュータ５６０）と、第２制御手段（例えば、演出制御手段としての演出制御用マイクロコンピュータ１００）とを備え、第１制御手段は、第２制御手段にコマンドを送信するコマンド送信手段（例えば、遊技制御用マイクロコンピュータ５６０におけるステップＳ４０１〜Ｓ４０４の処理を実行する部分）を含み、第２制御手段は、第１制御手段から受信したコマンドを格納するための複数のコマンド格納エリア（例えば、図１４に示すＦＩＦＯによる受信バッファ）と、コマンド格納エリアに、コマンドが格納されているか否かを確認可能な情報が設定されるコマンド有無確認エリア（例えば、図１５に示す受信制御レジスタにおける受信データレディビット）と、コマンドの受信に際してエラーが生じているか否かを示す情報が設定されるコマンドエラー確認エリア（例えば、図１５に示す受信制御レジスタにおけるエラービット）と、コマンド格納エリアからコマンドを読み出す読出手段（例えば、演出制御用マイクロコンピュータ１００におけるステップＳ６０４の処理を実行する部分）とを含み、コマンドエラー確認エリアの情報は、コマンド有無確認エリアから情報が読み出されるとクリアされるように構成され、読出手段がコマンド格納エリアからコマンドを読み出す前に、コマンドエラー確認エリアの情報を読み出して保存するエラー情報保存手段（例えば、演出制御用マイクロコンピュータ１００におけるステップＳ６０１，Ｓ６０２の処理を実行する部分）と、読出手段がコマンド格納エリアからコマンドを読み出す際に、保存されているコマンドエラー確認エリアの情報にもとづいてコマンドにエラーが生じているか否か判定する判定手段（例えば、演出制御用マイクロコンピュータ１００におけるステップＳ６０５の処理を実行する部分）とをさらに含み、コマンド送信手段は、コマンドを送信するための処理を、第１の周期により繰り返し実行し、読出手段は、コマンド格納エリアからコマンドを読み出すための処理を、第１の周期とは異なる第２の周期により繰り返し実行することを特徴とする。
そのような構成によれば、コマンドの受信に際してエラーが生じているか否かを示す情報が失われることが防止されるので、コマンドの受信に際してエラーが生じたときに適切にエラーの発生を検出することができる。
【手続補正３】
【補正対象書類名】明細書
【補正対象項目名】００１３
【補正方法】変更
【補正の内容】
【００１３】
（３）上記の（１）または（２）の遊技機において、コマンド送信手段は、コマンドを送信するための処理を、第１の周期（例えば、４ｍｓ）で繰り返し実行し、読出手段は、コマンド格納エリアからコマンドを読み出すための処理を、第１の周期よりも短い第２の周期（例えば、１ｍｓ）で繰り返し実行するように構成されていてもよい。
そのような構成によれば、第２制御手段は、第１制御手段から送信された全てのコマンドをコマンド格納エリアから確実に読み出すことができる。
【手続補正４】
【補正対象書類名】明細書
【補正対象項目名】００１４
【補正方法】変更
【補正の内容】
【００１４】
（４）上記の（１）〜（３）の遊技機において、コマンド格納エリアは、コマンドが読み出されるとクリアされるように構成され、読出手段は、遊技機に対する電力供給が開始されたときに、コマンド格納エリアにコマンドが格納されているか否かに関わらず、コマンド格納エリアからコマンドを読み出す処理を実行する（例えば、図１６に示すステップＳ５０３の処理を実行）ように構成されていてもよい。
そのような構成によれば、第２制御手段が実際の制御を開始する前にコマンド格納エリアが確実に初期化されるので、受信したコマンドにもとづく制御において誤動作等の不具合が生ずることを防止することができる。
【手続補正書】
【提出日】平成27年6月1日(2015.6.1)
【手続補正１】
【補正対象書類名】特許請求の範囲
【補正対象項目名】全文
【補正方法】変更
【補正の内容】
【特許請求の範囲】
【請求項１】
遊技媒体を用いた遊技を行う遊技機であって、
所定条件の成立に基づいて判定を行う判定手段と、
前記判定手段による判定にて特別の結果が得られたとき、遊技者に利益を付与する利益付与手段と、
前記判定手段の判定結果に基づいて演出を制御する演出制御手段と、
前記演出制御手段による制御により演出図柄の変動表示が行われるとともに、該演出図柄が停止表示されたときの図柄表示態様によって前記判定手段の判定結果が示唆されうる演出表示手段と、
遊技者により操作可能な操作受け部を有する操作手段と、
を備え、
前記演出制御手段は、
前記演出表示手段において前記操作を促す指示演出が実行されていないなかで、遊技者による操作を受けること無しに前記操作受け部を動作させる駆動力を付与する制御を実行可能な操作受け部駆動手段、及び
特定演出受付期間の設定にかかる制御がなされていないにもかかわらず、前記操作受け部駆動手段による駆動力によって前記操作受け部が動作する場合、該操作受け部の動作中に所定の非操作時演出を実行可能な非操作時演出実行手段
を有しており、
前記操作受け部駆動手段は、
前記演出表示手段において前記演出図柄が停止表示されておらず変動表示されている状態において前記操作受け部を動作させる駆動力を付与しうる
ことを特徴とする遊技機。
【請求項２】
請求項１に記載の遊技機において、
所定の発光演出が行われるランプ装置をさらに備える
ことを特徴とする遊技機。
【請求項３】
請求項１または２に記載の遊技機において、
所定の音響演出が行われるスピーカ装置をさらに備える
ことを特徴とする遊技機。
【手続補正２】
【補正対象書類名】明細書
【補正対象項目名】０００９
【補正方法】変更
【補正の内容】
【０００９】
手段１：遊技媒体を用いた遊技を行う遊技機であって、
所定条件の成立に基づいて判定を行う判定手段と、
前記判定手段による判定にて特別の結果が得られたとき、遊技者に利益を付与する利益付与手段と、
前記判定手段の判定結果に基づいて演出を制御する演出制御手段と、
前記演出制御手段による制御により演出図柄の変動表示が行われるとともに、該演出図柄が停止表示されたときの図柄表示態様によって前記判定手段の判定結果が示唆されうる演出表示手段と、
遊技者により操作可能な操作受け部を有する操作手段と、
を備え、
前記演出制御手段は、
前記演出表示手段において前記操作を促す指示演出が実行されていないなかで、遊技者による操作を受けること無しに前記操作受け部を動作させる駆動力を付与する制御を実行可能な操作受け部駆動手段、及び
特定演出受付期間の設定にかかる制御がなされていないにもかかわらず、前記操作受け部駆動手段による駆動力によって前記操作受け部が動作する場合、該操作受け部の動作中に所定の非操作時演出を実行可能な非操作時演出実行手段
を有しており、
前記操作受け部駆動手段は、
前記演出表示手段において前記演出図柄が停止表示されておらず変動表示されている状態において前記操作受け部を動作させる駆動力を付与しうる
ことを特徴とする遊技機。
【手続補正書】
【提出日】平成27年10月8日(2015.10.8)
【手続補正１】
【補正対象書類名】特許請求の範囲
【補正対象項目名】全文
【補正方法】変更
【補正の内容】
【特許請求の範囲】
【請求項１】
可変表示を行い、遊技者にとって有利な有利状態に制御可能な遊技機であって、
未だ開始していない可変表示について保留情報として記憶する保留記憶手段と、
前記保留記憶手段に記憶されている保留情報に対応した保留表示を行う保留表示手段と、
可変表示が開始されたことに基づいて、当該可変表示に対応する保留表示に応じた特別画像を表示する特別画像表示手段と、
可変表示の実行中に前記特別画像の態様を変化させる特別画像変化手段と、を備え、
前記特別画像変化手段は、
前記特別画像の態様を変化させる第１系統の変化であって複数の態様のうちのいずれかに変化させる第１系統変化手段と、
前記特別画像の態様を変化させる第２系統の変化であって複数の態様のうちのいずれかに変化させる第２系統変化手段と、を含み、
前記特別画像の前記第１系統の変化有無または変化態様と、前記特別画像の前記第２系統の変化有無または変化態様の組み合わせによって有利度合いが異なることを特徴とする遊技機。
【手続補正２】
【補正対象書類名】明細書
【補正対象項目名】０００７
【補正方法】変更
【補正の内容】
【０００７】
（１）上記目的を達成するため、本発明の一態様である遊技機は、可変表示を行い、遊技者にとって有利な有利状態（例えば、大当り遊技状態など）に制御可能な遊技機であって、未だ開始していない可変表示について保留情報として記憶する保留記憶手段（例えば、第１特図保留記憶部１５１Ａ、第２特図保留記憶部１５１Ｂ、始動入賞時受信コマンドバッファ１９４Ａなど）と、前記保留記憶手段に記憶されている保留情報に対応した保留表示を行う保留表示手段（例えば、ステップＳ１６３の保留追加処理において始動入賞記憶表示エリア５Ｈに保留表示を追加する処理など）と、可変表示が開始されたことに基づいて、当該可変表示可変表示に対応する保留表示に応じた特別画像（例えば、当該可変表示に対応する保留表示を所定のアクティブ表示エリアＡＨＡに移動させたアクティブ表示、または、当該可変表示に対応するアクティブ表示に応じた情報を表す特別画像など）を表示する特別画像表示手段と、可変表示の実行中に前記特別画像の態様を変化させる特別画像変化手段（例えば、ステップＳ７１０の演出制御パターン設定処理において決定したアクティブ表示変化演出の実行有無やアクティブ表示演出の実行タイミングやアクティブ表示変化演出の演出態様に応じた演出制御パターンに従って、図３６Ａ〜図３９Ｂの如く、アクティブ表示エリアＡＨＡ内のアクティブ表示ＡＨや、アクティブ表示枠ＡＨＷを変化させる、ステップＳ１７２の可変表示中演出処理など）と、を備え、前記特別画像変化手段は、前記特別画像の態様を変化させる第１系統の変化であって複数の態様のうちのいずれかに変化させる（例えば、図３４（Ａ）などに示した形状「星」、形状「三角形」、形状「五角形」のうち、例えば、図３６Ａや図３６Ｂに示すように、図形「星（Ｚ１）」をアクティブ表示ＡＨに衝突させることによって形状「星」に変化させる）第１系統変化手段と、前記特別画像の態様を変化させる第２系統の変化であって複数の態様のうちのいずれかに変化させる（例えば、図３４（Ｂ）などに示した太さ「中太」、太さ「極太」のうち、矢印「激熱」をアクティブ表示枠ＡＨＷに衝突させることによって太さ「中太」に変化させる）第２系統変化手段と、を含み、前記特別画像の前記第１系統の変化有無または変化態様と、前記特別画像の前記第２系統の変化有無または変化態様の組み合わせによって有利度合いが異なる。（例えば、図３２（Ａ）に示すように、アクティブ表示変化演出が実行されたときは、アクティブ表示変化演出が実行されないときに比べ、「大当り」となる期待度が高くなっている。また、例えば、図３２（Ａ）に示すように、第１系統変化演出および第２系統変化演出が実行されたときは、そうでないときに比べ、「大当り」となる期待度が高くなっている。）
このような構成によれば、演出効果を高め、興趣が向上できる。
【手続補正書】
【提出日】平成27年8月6日(2015.8.6)
【手続補正１】
【補正対象書類名】特許請求の範囲
【補正対象項目名】全文
【補正方法】変更
【補正の内容】
【特許請求の範囲】
【請求項１】
長手軸に沿って延設されるプローブと、
前記プローブの先端部が先端から突出する状態で、前記プローブが挿通されるシースユニットと、
前記シースユニットの基端部に配設される固定ハンドルと、
前記固定ハンドルに対して開閉可能な可動ハンドルユニットと、
前記シースユニットと前記可動ハンドルユニットとが互いに対して交差する位置に配設され、前記可動ハンドルユニットが前記固定ハンドルに対して開閉するための支点として機能する回動軸と、
前記可動ハンドルユニットの先端部に配設され、前記可動ハンドルユニットの開閉によって前記プローブの前記先端部に対して開閉するジョーと、
前記ジョーの一部であり、前記回動軸と前記ジョーの先端との間に配設され、処置対象に対する前記可動ハンドルユニットの開閉によって前記ジョーの一部が前記処置対象から反力を受けた際に前記反力に応じて撓み、撓むことによって前記一部以外の前記ジョーが変形することを防止する減肉部と、
を具備することを特徴とするエネルギー処置具。
【請求項２】
前記反力が消失した際に、前記撓みが解消し、前記減肉部は前記撓みが発生する前の状態に戻ることを特徴とする請求項１に記載のエネルギー処置具。
【請求項３】
前記減肉部は、前記ジョーの中心軸に沿って波状に形成される迂曲部として機能することを特徴とする請求項１に記載のエネルギー処置具。
【請求項４】
前記ジョーは、前記シースユニットと対向する閉方向側端面と、前記閉方向側端面とは反対側に配設される開方向側端面とを有し、
前記減肉部は、  
前記開方向側端面から前記閉方向側端面に向かって凹設されている少なくとも１つの開側溝部と、
前記閉方向側端面から前記開方向側端面に向かって凹設されている少なくとも１つの閉側溝部と、
を有し、
前記開側溝部と前記閉側溝部とは、前記ジョーの中心軸方向に沿って配設されることを特徴とする請求項１に記載のエネルギー処置具。
【請求項５】
前記ジョーの中心軸に直交する前記減肉部の断面積は、前記減肉部を除く部位における前記中心軸に直交する前記ジョーの断面積よりも小さいことを特徴とする請求項１に記載のエネルギー処置具。
【請求項６】
前記減肉部の断面形状は、長方形と台形と楕円とのいずれかであることを特徴とする請求項５に記載のエネルギー処置具。
【請求項７】
前記ジョーは、前記シースユニットと対向する閉方向側端面と、前記閉方向側端面とは反対側に配設される開方向側端面とを有し、
前記減肉部は、  
前記開方向側端面から前記閉方向側端面に向かってＬ字状に凹設されている少なくとも１つの開側溝部と、
前記閉方向側端面から前記開方向側端面に向かってＬ字状に凹設されている少なくとも１つの閉側溝部と、
を有することを特徴とする請求項１に記載のエネルギー処置具。
【請求項８】
前記ジョーの先端部の一部が切欠かれることによって形成される切欠き部を具備することを特徴とする請求項１に記載のエネルギー処置具。
【手続補正２】
【補正対象書類名】明細書
【補正対象項目名】０００７
【補正方法】変更
【補正の内容】
【０００７】
本発明は目的を達成するために、長手軸に沿って延設されるプローブと、前記プローブの先端部が先端から突出する状態で、前記プローブが挿通されるシースユニットと、前記シースユニットの基端部に取り付けられる固定ハンドルと、前記固定ハンドルに対して開閉可能な可動ハンドルユニットと、前記シースユニットと前記可動ハンドルユニットとが互いに対して交差する位置に配設され、前記可動ハンドルユニットが前記固定ハンドルに対して開閉するための支点として機能する回動軸と、前記可動ハンドルユニットの先端部に配設され、前記可動ハンドルユニットの開閉によって前記プローブの前記先端部に対して開閉するジョーと、前記ジョーの一部であり、前記回動軸と前記ジョーの先端との間に配設され、処置対象に対する前記可動ハンドルユニットの開閉によって前記ジョーの一部が前記処置対象から反力を受けた際に前記反力に応じて撓み、撓むことによって前記一部以外の前記ジョーが変形することを防止する減肉部と、を具備することを特徴とするエネルギー処置具を提供する。
【手続補正書】
【提出日】平成27年7月10日(2015.7.10)
【手続補正１】
【補正対象書類名】特許請求の範囲
【補正対象項目名】全文
【補正方法】変更
【補正の内容】
【特許請求の範囲】
【請求項１】
紙材からなるブランクを絞り加工して有底筒状のカップ部を形成するカップ部形成工程と、前記カップ部を金型内に配置して前記カップ部の周壁部の上端部に固着した筒状部と前記筒状部から水平に張り出す環状平板部とからなるフランジ部を射出成形するフランジ部形成工程とを有し、
前記ブランクにおける前記カップ部の周壁部を形成する領域の少なくとも一部に多数の罫線を形成するとともに、前記カップ部の周壁部の上端部に対応する部分に前記罫線が設けられていない平坦部を形成しておき、前記ブランクを前記カップ部形成工程において絞り加工した後、前記フランジ部形成工程は、前記カップ部の周壁部の上端部を前記金型のキャビティ内に露出させた状態で前記キャビティの下方で前記周壁部を前記金型により挟持し、前記キャビティ内に樹脂を射出して前記周壁部の上端部に前記筒状部を一体に固着するとともに、前記筒状部の長さを前記平坦部よりも長く、前記絞り加工時の歪みにより生じる前記カップ部の上端部の上縁の高低差を埋めるに足りる長さに形成することを特徴とする紙製容器の製造方法。
【請求項２】
前記ブランクにおける前記罫線は、長い罫線と短い罫線とが周方向に交互に配置されていることを特徴とする請求項１記載の紙製容器の製造方法。
【手続補正２】
【補正対象書類名】明細書
【補正対象項目名】発明の名称
【補正方法】変更
【補正の内容】
【発明の名称】紙製容器の製造方法
【手続補正３】
【補正対象書類名】明細書
【補正対象項目名】０００１
【補正方法】変更
【補正の内容】
【０００１】
本発明は、紙製容器の製造方法に関し、特に、レトルト殺菌や電子レンジ、オーブンレンジ等によって加熱される場合に適した紙製容器を製造する方法に関する。
【手続補正４】
【補正対象書類名】明細書
【補正対象項目名】０００６
【補正方法】変更
【補正の内容】
【０００６】
本発明は、前記事情に鑑みてなされたもので、レトルト殺菌や電子レンジ等の加熱に適した紙製容器であって、フランジ部分の剛性を確保してこのフランジ部分が変形することを防止するとともに、全体の重量を軽減してコンパクトに形成することができ、しかも成形が容易な紙製容器の製造方法の提供を目的とする。
【手続補正５】
【補正対象書類名】明細書
【補正対象項目名】０００７
【補正方法】変更
【補正の内容】
【０００７】
本発明の製造方法により製造される紙製容器は、紙材からなるブランクを絞り加工して形成された有底筒状のカップ部と、このカップ部の上端部から連続する樹脂製のフランジ部とを有し、前記フランジ部は、前記カップ部の周壁部に沿う筒状部と、この筒状部から水平に張り出す環状平板部とからなり、前記筒状部が前記カップ部の周壁部の上端面を覆った状態で前記周壁部の一部に重なるように固着されている。
【手続補正６】
【補正対象書類名】明細書
【補正対象項目名】００１０
【補正方法】変更
【補正の内容】
【００１０】
また、この紙製容器は、前記カップ部の周壁部には、その全周のうちの少なくとも一部に、深さ方向に延びる凹部が形成され、前記フランジ部の樹脂が前記凹部内に入り込んでいるとよい。
カップ部の周壁部の内外周面側の少なくとも片面側とフランジ部の筒状部とが重なるように形成した場合でも、フランジ部は、周壁部の上端面を覆った状態に固着されるので、フランジ部の射出成形時に、樹脂の一部が周壁部の上端面から反対面側にも凹部を伝って入り込み、この樹脂により周壁部の内外両面にわたって樹脂が配置されることになり、カップ部とフランジ部とを強固に固着することができる。
【手続補正７】
【補正対象書類名】明細書
【補正対象項目名】００１１
【補正方法】変更
【補正の内容】
【００１１】
そして、本発明の紙製容器の製造方法は、紙材からなるブランクを絞り加工して有底筒状のカップ部を形成するカップ部形成工程と、前記カップ部を金型内に配置して前記カップ部の周壁部の上端部に固着した筒状部と前記筒状部から水平に張り出す環状平板部とからなるフランジ部を射出成形するフランジ部形成工程とを有し、前記ブランクにおける前記カップ部の周壁部を形成する領域の少なくとも一部に多数の罫線を形成するとともに、前記カップ部の周壁部の上端部に対応する部分に前記罫線が設けられていない平坦部を形成しておき、前記ブランクを前記カップ部形成工程において絞り加工した後、前記フランジ部形成工程は、前記カップ部の周壁部の上端部を前記金型のキャビティ内に露出させた状態で前記キャビティの下方で前記周壁部を前記金型により挟持し、前記キャビティ内に樹脂を射出して前記周壁部の上端部に前記筒状部を一体に固着するとともに、前記筒状部の長さを前記平坦部よりも長く、前記絞り加工時の歪みにより生じる前記カップ部の上端部の上縁の高低差を埋めるに足りる長さに形成することを特徴とする。
この場合、前記ブランクにおける前記罫線は、長い罫線と短い罫線とが周方向に交互に配置されているとよい。
【手続補正書】
【提出日】平成27年1月27日(2015.1.27)
【手続補正１】
【補正対象書類名】特許請求の範囲
【補正対象項目名】全文
【補正方法】変更
【補正の内容】
【特許請求の範囲】
【請求項１】
実質的にアモルファスの材料の１つ又は複数の特性を修正する方法であって、
実質的にアモルファスの材料を提供するステップと、
前記材料の第２のゾーンに相変化を実質的に誘起することなく前記材料の第１のゾーンに相変化を選択的に誘起するステップと、
を含む方法。
【請求項２】
前記材料の第１のゾーンに相変化を選択的に誘起する前記ステップが、前記第１のゾーンに結晶化を誘起することを含む、請求項１に記載の方法。
【請求項３】
結晶化を誘起する前記ステップが、前記第１のゾーンの少なくとも一部にシーディングすることを含む、請求項２に記載の方法。
【請求項４】
結晶化を誘起する前記ステップが、前記第１のゾーンの少なくとも一部に核剤を提供することを含む、請求項２に記載の方法。
【請求項５】
前記材料の第１のゾーンに相変化を選択的に誘起する前記ステップの後で、前記材料の第１のゾーンが圧縮下にあり、前記材料の前記第２のゾーンが張力下にある、請求項２に記載の方法。
【請求項６】
前記材料の第１のゾーンに相変化を選択的に誘起する前記ステップの後で、前記材料の第１のゾーンが前記材料の第２のゾーンとは異なる屈折率を有する、請求項１に記載の方法。
【請求項７】
前記材料の第１のゾーンに相変化を選択的に誘起する前記ステップの後で、前記材料の第１のゾーンが前記材料の第２のゾーンとは異なる耐薬品性又は耐食性を有する、請求項１に記載の方法。
【請求項８】
前記材料がセラミックである、請求項５に記載の方法。
【手続補正書】
【提出日】平成27年5月28日(2015.5.28)
【手続補正１】
【補正対象書類名】特許請求の範囲
【補正対象項目名】全文
【補正方法】変更
【補正の内容】
【特許請求の範囲】
【請求項１】
以下の（ａ）〜（ｃ）からなる群より選択されるアフィニティークロマトグラフィーリガンドを含むアフィニティークロマトグラフィーマトリックス、
（ａ）スタフィロコッカス（Ｓｔａｐｈｙｌｏｃｏｃｃｕｓ）プロテインＡ（ＳｐＡ）の１つ以上のＣドメインを含むアフィニティークロマトグラフィーリガンドであって、少なくとも１つのＣドメインが、位置１で始まる、Ｎ末端からの３つ又は４つの連続したアミノ酸の欠失を含み、リガンドの少なくとも１つのドメインが、さらに位置２９におけるアミノ酸突然変異を含む、アフィニティークロマトグラフィーリガンド、
（ｂ）スタフィロコッカス（Ｓｔａｐｈｙｌｏｃｏｃｃｕｓ）プロテインＡ（ＳｐＡ）の１つ以上のＢドメインを含むアフィニティークロマトグラフィーリガンドであって、少なくとも１つのＢドメインが、位置１で始まる、Ｎ末端からの３つ又は４つの連続したアミノ酸の欠失を含み、リガンドの少なくとも１つのドメインが、さらに位置２９におけるアミノ酸突然変異を含む、アフィニティークロマトグラフィーリガンド、及び
（ｃ）スタフィロコッカス（Ｓｔａｐｈｙｌｏｃｏｃｃｕｓ）プロテインＡ（ＳｐＡ）の１つ以上のＺドメインを含むアフィニティークロマトグラフィーリガンドであって、少なくとも１つのＺドメインが、位置１で始まる、Ｎ末端からの３つ又は４つの連続したアミノ酸の欠失を含み、リガンドの少なくとも１つのドメインが、さらに位置２９におけるアミノ酸突然変異を含む、アフィニティークロマトグラフィーリガンド。
【請求項２】
アフィニティークロマトグラフィーリガンドが、ＳｐＡの２つ以上のＢドメイン、またはＳｐＡの２つ以上のＣドメイン、またはＳｐＡの２つ以上のＺドメイン、または任意の順序における、Ｂ、ＺもしくはＣドメインの任意の組合せを含み、Ｂ、ＣまたはＺドメインの少なくとも１つが、位置１で始まる、Ｎ末端からの３つ又は４つのアミノ酸の欠失を含み、さらに位置２９におけるアミノ酸突然変異を含む、アフィニティークロマトグラフィーリガンドである、請求項１に記載のアフィニティークロマトグラフィーマトリックス。
【請求項３】
請求項１の（ａ）〜（ｃ）における位置２９におけるアミノ酸突然変異がＦａｂ結合を低減する、請求項１又は２に記載のアフィニティークロマトグラフィーマトリックス。
【請求項４】
アミノ酸突然変異がグリシンアミノ酸残基又はアラニンアミノ酸残基を、リジンアミノ酸残基で置換することを含む、請求項３に記載のアフィニティークロマトグラフィーマトリックス。
【請求項５】
アフィニティークロマトグラフィーリガンドが固形担体と結合されている、請求項１〜４のいずれかに記載のアフィニティークロマトグラフィーマトリックス。
【請求項６】
リガンドが、野生型対応物に比べて、低減した断片化を示す、請求項１〜４のいずれかに記載のアフィニティークロマトグラフィーマトリックス。
【手続補正書】
【提出日】平成27年8月7日(2015.8.7)
【手続補正１】
【補正対象書類名】特許請求の範囲
【補正対象項目名】全文
【補正方法】変更
【補正の内容】
【特許請求の範囲】
【請求項１】
被照射面に向けて光を照射するランプと、
前記ランプと前記被照射面との対向方向に直交する側方に配置され、前記ランプの側面にガスを吹き出すガス吹出口を有するガス供給部と、
前記ガス吹出口及び前記ランプの間に配置され、前記ガス吹出口と前記ランプと前記被照射面との間の空間に形成される渦気流を遮蔽する遮蔽板とを備える光照射装置。
【請求項２】
前記ランプが、直管状をなすものであり、
前記ガス吹出口が前記ランプの側方において、ランプ長手方向に沿って複数設けられており、
前記遮蔽板が、前記複数のガス吹出口それぞれに対応して、前記ランプ長手方向に沿って設けられている請求項１記載の光照射装置。
【請求項３】
前記ランプが、一方向に長い扁平形状で且つ短辺方向の端部が滑らかな湾曲形状を有するものであり、前記ガス吹出口が、前記ランプの短辺方向の端部に向けて前記ガスを吹き出すように、前記ランプの両側に複数並べて配置されている請求項１又は２記載の光照射装置。
【請求項４】
前記ランプに対して前記被照射面とは反対側において前記ランプの周囲空間を覆うカバー体を備え、前記遮蔽板が、前記カバー体に設けられていること請求項１乃至３の何れかに記載の光照射装置。
【請求項５】
前記ランプが、紫外線を照射する紫外線ランプである請求項１乃至４の何れかに記載の光照射装置。
【手続補正書】
【提出日】平成27年4月20日(2015.4.20)
【手続補正１】
【補正対象書類名】特許請求の範囲
【補正対象項目名】全文
【補正方法】変更
【補正の内容】
【特許請求の範囲】
【請求項１】
第１演出手段を制御する第１制御手段と、
第２演出手段を制御する第２制御手段と、
を備え、
前記第１制御手段は、所定の開始契機となった場合に、特定継続期間において前記第１演出手段にて演出を実行させる第１側実行手段を備え、
前記第２制御手段は、
前記第２演出手段にて前記特定継続期間中に演出を実行させるために用いられる特定制御情報群を設定する第２側設定手段と、
制御実行タイミングとなる度に、前記特定制御情報群において当該制御実行タイミングに対応した情報を利用することで、前記特定継続期間中において前記第２演出手段にて演出を実行させる第２側実行手段と、
前記第２演出手段における前記特定継続期間中の演出が進行していくことに合わせて、前記第１制御手段に送信情報を送信する第２側送信手段と、
を備え、
前記第１側実行手段は、前記第２側送信手段が送信する送信情報を利用して、前記特定継続期間中において前記第１演出手段に実行させる演出の内容を前記第２演出手段における演出の内容に対応させることが可能であり、
前記第２側送信手段は、前記制御実行タイミングとなる度に前記第１制御手段に送信情報を送信するのではなく、所定の制御実行タイミングに対応させたタイミングで前記第１制御手段に送信情報を送信するものであることを特徴とする遊技機。
【請求項２】
前記特定制御情報群には、前記特定継続期間中における各制御実行タイミングでの制御内容を特定可能な情報が含まれており、これら制御実行タイミングに対応させて、前記第１制御手段に向けて送信する送信情報の送信タイミングが含まれていることを特徴とする請求項１に記載の遊技機。
【請求項３】
前記第２演出手段において前記特定継続期間中に実行される特定範囲演出には、演出の態様が相違する複数の演出範囲を含み得る構成であり、
前記第２側送信手段は、前記各演出範囲の開始タイミングを前記第１制御手段において特定可能とするように前記送信情報を送信するものであることを特徴とする請求項１又はＣに記載の遊技機。
【請求項４】
前記第１側実行手段は、前記第２側送信手段が送信する送信情報から、前記特定継続期間中に実行させるべき演出の内容を把握するものであることを特徴とする請求項１乃至３のいずれか１に記載の遊技機。
【請求項５】
前記第１制御手段は、前記特定継続期間中に実行される演出の全体に対応した分の制御情報群を一度に設定するのではなく、前記第２制御手段が前記特定継続期間中の各タイミングで送信情報を送信したことを契機として、前記特定継続期間中に実行される演出の一部分に対応した制御情報群を設定する第１側設定手段を備えていることを特徴とする請求項１乃至４のいずれか１に記載の遊技機。
【請求項６】
前記第２演出手段において前記特定継続期間中に実行される特定範囲演出には、演出の態様が相違する複数の演出範囲を含み得る構成であり、
前記一部分に対応した制御情報群は、前記複数の演出範囲に対応させて設定されていることを特徴とする請求項５に記載の遊技機。
【請求項７】
前記第２側実行手段は、前記所定の開始契機となったことで前記第１制御手段が送信情報を送信した場合に、前記特定継続期間において前記第２演出手段にて特定範囲演出を実行させるものであり、
前記第２側設定手段は、前記所定の開始契機となったことで前記第１制御手段が送信情報を送信した場合に、前記特定制御情報群を設定するものであることを特徴とする請求項５又は６に記載の遊技機。
【請求項８】
前記第１側設定手段は、前記所定の開始契機となったことで前記第１制御手段が送信情報を送信したことに対して、前記特定範囲演出を開始させることに対応した送信情報を前記第２制御手段が送信した場合に、当該特定範囲演出の開始に対応した所定制御情報群を設定する手段を備え、
前記第１側実行手段は、前記第１側設定手段が前記所定制御情報群を設定した後に、前記特定範囲演出に対応した演出を開始させるものであることを特徴とする請求項７に記載の遊技機。
【請求項９】
前記第１制御手段は、
報知対象事象の発生を特定する報知用特定手段と、
当該報知用特定手段において報知対象事象の発生が特定された場合に、報知発生情報を前記第２制御手段に向けて送信する報知用送信手段と、
前記報知用特定手段において報知対象事象の発生が特定された場合に、前記第２制御手段が送信情報を送信したか否かに関係なく、前記第１演出手段にて報知を行わせる報知実行手段と、
を備えていることを特徴とする請求項８に記載の遊技機。
【手続補正２】
【補正対象書類名】明細書
【補正対象項目名】０００７
【補正方法】変更
【補正の内容】
【０００７】
上記課題を解決すべく請求項１記載の発明は、第１演出手段を制御する第１制御手段と、
第２演出手段を制御する第２制御手段と、
を備え、
前記第１制御手段は、所定の開始契機となった場合に、特定継続期間において前記第１演出手段にて演出を実行させる第１側実行手段を備え、
前記第２制御手段は、
前記第２演出手段にて前記特定継続期間中に演出を実行させるために用いられる特定制御情報群を設定する第２側設定手段と、
制御実行タイミングとなる度に、前記特定制御情報群において当該制御実行タイミングに対応した情報を利用することで、前記特定継続期間中において前記第２演出手段にて演出を実行させる第２側実行手段と、
前記第２演出手段における前記特定継続期間中の演出が進行していくことに合わせて、前記第１制御手段に送信情報を送信する第２側送信手段と、
を備え、
前記第１側実行手段は、前記第２側送信手段が送信する送信情報を利用して、前記特定継続期間中において前記第１演出手段に実行させる演出の内容を前記第２演出手段における演出の内容に対応させることが可能であり、
前記第２側送信手段は、前記制御実行タイミングとなる度に前記第１制御手段に送信情報を送信するのではなく、所定の制御実行タイミングに対応させたタイミングで前記第１制御手段に送信情報を送信するものであることを特徴とする。
【手続補正書】
【提出日】平成26年11月26日(2014.11.26)
【手続補正１】
【補正対象書類名】特許請求の範囲
【補正対象項目名】全文
【補正方法】変更
【補正の内容】
【特許請求の範囲】
【請求項１】
発光可能な光源及び導光部材を有する照明装置を備えた遊技機であって、
前記導光部材は、後方から入射する光を拡散して出射する第１導光部材と、該第１導光部材から出射する光を拡散する第２導光部材とから構成され、
前記第１導光部材は、透明な樹脂で板状に形成され、内部に入射した光の進行方向を変更するように、該第１導光部材の端縁部と該第１導光部材に形成された複数の開口部とを有するように構成され、
前記第２導光部材は、前記光源を正面視したとき側方に突出し、該側方に出射する光を拡散する特殊形状部が形成されてなる、
ことを特徴とする遊技機。
【手続補正２】
【補正対象書類名】明細書
【補正対象項目名】０００５
【補正方法】変更
【補正の内容】
【０００５】
上記した目的を達成するため、本発明に係る遊技機は、発光可能な光源及び導光部材を有する照明装置を備えた遊技機であって、前記導光部材は、後方から入射する光を拡散して出射する第１導光部材と、該第１導光部材から出射する光を拡散する第２導光部材とから構成され、前記第１導光部材は、透明な樹脂で板状に形成され、前記第１導光部材は、透明な樹脂で板状に形成され、内部に入射した光の進行方向を変更するように、該第１導光部材の端縁部と該第１導光部材に形成された複数の開口部とを有するように構成され、前記第２導光部材は、前記光源を正面視したとき側方に突出し、該側方に出射する光を拡散する特殊形状部が形成されてなる、ことを特徴とするものである。
【手続補正書】
【提出日】平成26年11月13日(2014.11.13)
【手続補正１】
【補正対象書類名】特許請求の範囲
【補正対象項目名】全文
【補正方法】変更
【補正の内容】
【特許請求の範囲】
【請求項１】
地図データを記憶する地図データ記憶部と、
前記地図データに基づいて表示装置に地図を表示する地図表示部と、
予め定められた複数のエリアのうちの少なくとも１つのエリアを選択するエリア選択部と、
前記選択されたエリアのランキング情報を、エリアごとにスコアのランキング情報を管理するサーバから取得するランキング取得部と、
前記取得されたランキング情報に応じたアイコンを、前記地図上における前記選択されたエリアに表示するランキング表示部と、
を備えるゲーム装置。
【請求項２】
請求項１に記載のゲーム装置であって、
現在位置の位置情報を取得する位置情報取得部と、
位置情報とエリアとの対応関係を示すエリア対応情報を記憶するエリア対応情報記憶部と、
をさらに備え、
前記エリア選択部は、前記エリア対応情報に基づいて、前記取得された位置情報に対応するエリアを選択する、
ゲーム装置。
【請求項３】
請求項１または２に記載のゲーム装置であって、
前記エリア選択部は、所定の順序に従って前記複数のエリアのうちの２つ以上のエリアを順次選択し、
前記ランキング取得部は、前記順次選択されるエリアのランキング情報を前記サーバから順次取得し、
前記ランキング表示部は、前記順次取得されるランキング情報に応じたアイコンを、前記地図上における前記選択されたエリアに順次表示する、
ゲーム装置。
【請求項４】
請求項１〜３の何れか一項に記載のゲーム装置であって、
前記ランキング情報は、エリア内におけるトップスコアを示すトップスコア情報と、エリア内においてランキングにスコアが登録されているユーザ数を示すユーザ数情報とを含み、
前記ランキング表示部は、前記アイコンの一方向における長さを前記トップスコアに応じた長さとし、前記アイコンの他の一方向における長さを前記ユーザ数に応じた長さとする、
ゲーム装置。
【請求項５】
コンピュータを、
地図データを記憶する地図データ記憶部、
前記地図データに基づいて表示装置に地図を表示する地図表示部、
予め定められた複数のエリアのうちの少なくとも１つのエリアを選択するエリア選択部、
前記選択されたエリアのランキング情報を、エリアごとにスコアのランキング情報を管理するサーバから取得するランキング取得部、及び
前記取得されたランキング情報に応じたアイコンを、前記地図上における前記選択されたエリアに表示するランキング表示部、
として機能させるプログラム。
【手続補正書】
【提出日】平成27年9月18日(2015.9.18)
【手続補正１】
【補正対象書類名】明細書
【補正対象項目名】００２３
【補正方法】変更
【補正の内容】
【００２３】
前記上部把持片５について詳細に説明すると、一対の把持片５ａと把持片５ｂは、円弧状切欠き５ａｃと円弧状切欠き５ｂｃを有し、前記ピン１７が前記円弧状切欠き５ａｃと円弧状切欠き５ｂｃを矢印１７ｆの方向に係合して押して、軸１１を支点として図示矢印５ａｆおよび矢印５ｂｆの方向（開放方向）に揺動して、容器Ｂの首部Ｂｍが出し入れ可能となるようになっており、また、前記ピン１７が矢印１７ｆと逆方向に移動して前記円弧状切欠き５ａｃと円弧状切欠き５ｂｃがピン１７との係合から解放された場合には、後述する圧縮ばね７の付勢によって図示矢印５ａｆおよび矢印５ｂｆと逆方向（閉鎖方向）に揺動して、容器Ｂの首部Ｂｍのねじ部Ｍ１の溝部Ｍ２が該把持片５ａと把持片５ｂの後述する突起部５ｐに係合して周長の半分以上を把持されて拘束されるようになっている。
なお、前記一対の把持片５ａと把持片５ｂは、グリッパ本体上１０との間の摺動板１３、および、下部把持片６との間の摺動板１５ａに挟まれて前記揺動をするようになっている。
【手続補正２】
【補正対象書類名】明細書
【補正対象項目名】００２９
【補正方法】変更
【補正の内容】
【００２９】
次に、本発明の実施の形態に係わる容器グリッパ１の作用を説明する。
容器Ｂは、一方のグリッパ（Ａ）８から他方のグリッパ（Ｂ）４へ交互に把持替えされて受け渡される。
グリッパ（Ａ）８は、一対の把持片８ａと把持片８ｂが、軸体３６の矢印３６ｆの方向への移動により、ピン３７によって円弧状切欠き８ａｃと円弧状切欠き８ｂｃが矢印３７ｆの方向に押し込まれることによって、軸３１を支点として矢印８ａｆおよび矢印８ｂｆの方向（開放方向）に揺動して、前工程からの或いは後工程への受渡し容器Ｂの首部Ｂｍのくびれ部Ｍ３の出し入れが可能の状態となり、圧縮ばね４０の付勢により前記軸体３６の矢印３６ｆと逆方向への移動に伴ってピン３７の矢印３７ｆと逆方向への移動により円弧状切欠き８ａｃと円弧状切欠き８ｂｃが矢印３７ｆと逆方向へ押されて、軸３１を支点として矢印８ａｆおよび矢印８ｂｆと逆方向（閉鎖方向）に揺動することにより、前工程から受け渡された容器Ｂの首部Ｂｍのくびれ部Ｍ３に適合した把持形状でくびれ部Ｍ３を把持拘束し、容器の上下方向の位置決めをする。
【手続補正書】
【提出日】平成26年11月19日(2014.11.19)
【手続補正１】
【補正対象書類名】特許請求の範囲
【補正対象項目名】全文
【補正方法】変更
【補正の内容】
【特許請求の範囲】
【請求項１】
外周面に複数の図柄が設けられたリールを備え、所定の開始操作に基づいてリールを回転させ、所定の停止操作に基づいてリールを停止させる遊技が実行可能な回胴式遊技機において、
遊技の進行を制御する主制御手段と、
遊技の演出を制御する副制御手段と、
遊技の進行を第１所定時間遅延させる第１特定状態を発生させる第１特定状態発生手段と、
遊技の進行を第２所定時間遅延させる第２特定状態を発生させる第２特定状態発生手段と、
前記第１特定状態を発生させる場合に前記副制御手段に第１コマンドを送信し、前記第２特定状態を発生させる場合に前記副制御手段に第２コマンドを送信する送信手段と、を備え、
前記第１特定状態が発生した遊技から所定回数後の遊技のときに前記第２特定状態を発生可能とし、
前記副制御手段は、前記第１コマンドを受信した場合には前記第１特定状態中に第１演出を実行し、前記第２コマンドを受信した場合には前記第２特定状態中に第２演出を実行する
ことを特徴とする回胴式遊技機。
【請求項２】
外周面に複数の図柄が設けられたリールを備え、所定の開始操作に基づいてリールを回転させ、所定の停止操作に基づいてリールを停止させる遊技が実行可能な回胴式遊技機において、
遊技の進行を第１所定時間遅延させる第１特定状態を発生させる第１特定状態発生手段と、
遊技の進行を第２所定時間遅延させる第２特定状態を発生させる第２特定状態発生手段と、を備え、
前記第１特定状態が発生した遊技から所定回数後の遊技のときに前記第２特定状態を発生可能とする
ことを特徴とする回胴式遊技機。
【手続補正２】
【補正対象書類名】明細書
【補正対象項目名】０００７
【補正方法】変更
【補正の内容】
【０００７】
上述した課題の少なくとも一部を解決するために、本発明の回胴式遊技機は次の構成を採用した。すなわち、
外周面に複数の図柄が設けられたリールを備え、所定の開始操作に基づいてリールを回転させ、所定の停止操作に基づいてリールを停止させる遊技が実行可能な回胴式遊技機において、
遊技の進行を制御する主制御手段と、
遊技の演出を制御する副制御手段と、
遊技の進行を第１所定時間遅延させる第１特定状態を発生させる第１特定状態発生手段と、
遊技の進行を第２所定時間遅延させる第２特定状態を発生させる第２特定状態発生手段と、
前記第１特定状態を発生させる場合に前記副制御手段に第１コマンドを送信し、前記第２特定状態を発生させる場合に前記副制御手段に第２コマンドを送信する送信手段と、を備え、
前記第１特定状態が発生した遊技から所定回数後の遊技のときに前記第２特定状態を発生可能とし、
前記副制御手段は、前記第１コマンドを受信した場合には前記第１特定状態中に第１演出を実行し、前記第２コマンドを受信した場合には前記第２特定状態中に第２演出を実行する
ことを特徴とする。
【手続補正３】
【補正対象書類名】明細書
【補正対象項目名】０００８
【補正方法】変更
【補正の内容】
【０００８】
また、本発明は、
外周面に複数の図柄が設けられたリールを備え、所定の開始操作に基づいてリールを回転させ、所定の停止操作に基づいてリールを停止させる遊技が実行可能な回胴式遊技機において、
遊技の進行を第１所定時間遅延させる第１特定状態を発生させる第１特定状態発生手段と、
遊技の進行を第２所定時間遅延させる第２特定状態を発生させる第２特定状態発生手段と、を備え、
前記第１特定状態が発生した遊技から所定回数後の遊技のときに前記第２特定状態を発生可能とする
ことを特徴とする。